(57)【要約】    【課題】乳房カップ部の脇から後身にかけて伸びるバック布と人体の背中側の肩紐とをつなぐ肩紐連結具を提供する。    【解決手段】左右一対の乳房カップ部（１）と、該乳房カップ部の脇側から後身にかけて延びると共に、上縁が山形突起（２１）を有するバック布（２）と、該乳房カップ部の上部から該バック布まで延びる肩紐（３）と、該バック布の山形突起（２１）と該肩紐（３）との連結部位に取り付ける肩紐連結具（４）とからなる女性用衣類である。これに使用する前記肩紐連結具（４）は、前記バック布の山形突起（２１）に取り付けられる第１の肩紐通路（４１）と、前記肩紐に取り付けられる第２の肩紐通路（４２）を有し、前記第１の肩紐通路（４１）と前記第２の肩紐通路（４２）とが互いに所定角度を有して傾斜している。【選択図】図２
2007031911.tif 000002
【特許請求の範囲】
【請求項１】
左右一対の乳房カップ部（１）と、該乳房カップ部の脇側から後身にかけて延びると共に、上縁が山形突起（２１）を有するバック布（２）と、該乳房カップ部の上部から該バック布まで延びる肩紐（３）と、該バック布の山形突起（２１）と該肩紐（３）との連結部位に取り付ける肩紐連結具（４）とからなる女性用衣類に使用する前記肩紐連結具（４）であって、
前記バック布の山形突起（２１）に取り付けられる第１の肩紐通路（４１）と、前記肩紐（３）に取り付けられる第２の肩紐通路（４２）を有し、前記第１の肩紐通路（４１）と前記第２の肩紐通路（４２）とが互いに所定角度を有して傾斜していることを特徴とする肩紐連結具。
【請求項２】
第１の肩紐通路（４１）と第２の肩紐通路（４２）の間の傾斜角度が、２５°〜４５°である請求項１記載の肩紐連結具。
【請求項３】
前記第１の肩紐通路（４１）及び第２の肩紐通路（４２）のうち、少なくともいずれか一方に開口部（４３）が設けられていて、この開口部を通して肩紐の着脱が可能である請求項１又は２記載の肩紐連結具。
【請求項４】
左右一対の乳房カップ部（１）と、該乳房カップ部の脇側から後身にかけて延びると共に、上縁が山形突起（２１）を有するバック布（２）と、該乳房カップ部の上部から該バック布まで延びる肩紐（３）と、該バック布の山形突起（２１）と該肩紐（３）との連結部位に取り付けた肩紐連結具（４）とからなる女性用衣類であって、
前記肩紐連結具（４）が、前記バック布の山形突起に取り付けられる第１の肩紐通路（４１）と、前記肩紐に取り付けられる第２の肩紐通路（４２）を有し、前記第１の肩紐通路（４１）と前記第２の肩紐通路（４２）とが互いに所定角度を有して傾斜していることを特徴とする女性用衣類。
【発明の詳細な説明】
【技術分野】
【０００１】
本発明は、女性用衣類に使用する肩紐用連結具及びこの連結具を用いた女性用衣類に関する。ここで、「女性用衣類」としては、乳房カップ部を有するものをいい、例えば、ブラジャー、スリップ、ブラスリップ、キャミソール、ボディースーツが挙げられる。（以下、「ブラジャー」を例にとって説明する。）また、「肩紐用連結具」は、主として乳房カップ部の脇から後身にかけて伸びるバック布と人体の背中側の肩紐とをつなぐものをいう。
【背景技術】
【０００２】
従来、ブラジャーの肩紐用連結具は、下記特許文献１〜３に示すように、胸側肩紐とカップ部とをつなぐものがほとんどである。人体の背中側の肩紐とバック布とは、図４に示すように、固定されているのが普通である。
【０００３】
バック布の形状には、大きく分けて２種類ある。すなわち、後ろホックの近くに山形の突起２１があるもの（図４）とないもの（図示せず）である。そのうち、本発明が対象とするのは、主として山形突起のあるものである。山形突起のないものと比べ、山形突起のあるものは、脇や背中とフィットする面積が増え、安定感が増すので、着用者に好まれている。
【特許文献１】特許第３０５４１４２号
【特許文献２】特許第３２３２０１６号
【特許文献３】実用新案登録第３０５４１５０号
【発明の開示】
【発明が解決しようとする課題】
【０００４】
しかし、この山形突起２１に通常の連結具５を取り付けると、山形突起２１が本来持っている角度のために、肩紐３が外方向に向かう（図５参照）傾向を有するので、肩紐３が肩からずり落ちる方向に移動しやすい。本発明は、この問題点を解決するために行われたものである。
【課題を解決するための手段】
【０００５】
本発明の肩紐連結具は、左右一対の乳房カップ部と、該乳房カップ部の脇側から後身にかけて延びると共に、上縁が山形突起を有するバック布と、該乳房カップ部の上部から該バック布まで延びる肩紐と、該バック布の山形突起と該肩紐との連結部位に取り付ける肩紐連結具とからなる女性用衣類に使用する前記肩紐連結具であって、前記バック布の山形突起に取り付けられる第１の肩紐通路と、前記肩紐に取り付けられる第２の肩紐通路を有し、前記第１の肩紐通路と前記第２の肩紐通路とが互いに所定角度を有して傾斜していることを特徴とする。
【０００６】
本発明の女性用衣類は、左右一対の乳房カップ部と、該乳房カップ部の脇側から後身にかけて延びると共に、上縁が山形突起を有するバック布と、該乳房カップ部の上部から該バック布まで延びる肩紐と、該バック布の山形突起と該肩紐との連結部位に取り付けた肩紐連結具とからなる女性用衣類であって、前記肩紐連結具が、前記バック布の山形突起に取り付けられる第１の肩紐通路と、前記肩紐に取り付けられる第２の肩紐通路を有し、前記第１の肩紐通路と前記第２の肩紐通路とが互いに所定角度を有して傾斜していることを特徴とする。
【発明の効果】
【０００７】
本発明の肩紐連結具をバック布の山形突起に使用したとき、肩紐連結具が第１の肩紐通路と第２の肩紐通路の間で所定角度を有して傾斜しているので、肩紐が伸びる方向を修正させてほぼ真上にすることができる。その結果、肩紐が肩からずり落ちる方向に移動することはなくなる。したがって、本発明によれば、山形突起の有する安定感という有利性をそのまま維持しながら、しかも、その欠点をなくすことができた。
【発明を実施するための最良の形態】
【０００８】
第１の肩紐通路と第２の肩紐通路の間の傾斜角度は、２５°〜４５°が好ましく、より好ましくは３０°〜４０°、最も好ましくは約３５°である。
【０００９】
好ましくは、前記第１の肩紐通路及び第２の肩紐通路のうち、少なくともいずれか一方に開口部を設けて、この開口部を通して肩紐の着脱を可能とする。それにより、肩紐を取り外すことが可能となる。
【００１０】
本発明の肩紐連結具は、金属で形成することが好ましいが、その他、合成樹脂で一体成形してもよい。
【実施例１】
【００１１】
以下、添付の図面に基づき、本発明の実施例を説明する。
【００１２】
図１は、本発明の肩紐連結具を備えたブラジャーの斜視図である。図２（ａ）は肩紐連結具の取付部分の拡大図、図２（ｂ）は肩紐連結具の拡大図である。
【００１３】
図１において、このブラジャーは、左右一対の乳房カップ部１と、該乳房カップ部１の脇側から後身にかけて延びるバック布２と、該乳房カップ部１の上部から該バック布まで延びる肩紐３と、該乳房カップ部１と該肩紐３との連結部位に取り付けた肩紐連結具４と、を有する。左右バック布２はそれぞれ上縁に山形突起２１を有する。
【００１４】
肩紐連結具４は、図２に示すように、山形突起２１の頂点から取付延長部２２を介して人体正面側の傾斜部に取り付けられる。
【００１５】
この肩紐連結具４は、板状の金属成型品であり、バック布２の取付延長部２２に取り付けられる第１の肩紐通路４１と、肩紐３に取り付けられる第２の肩紐通路４２を有し、これら第１の肩紐通路４１と第２の肩紐通路４２とが互いに所定角度を有して傾斜している。その結果、全体としてはＶ字の印象を与える。
【００１６】
第１の肩紐通路４１には開口部４３が設けられており、この開口部４３を通して肩紐３の着脱を可能とする。それにより、肩紐を取り外すことが可能である。開口部４３は取付延長部２２（通常テープを折り返して形成している）の末端部がやっと通り抜けることができる程度のものとすることが好ましい。開口部４３が取付延長部２２の末端部と同一線上になると、取付延長部２２が開口部４３から抜け落ちる可能性があるので、そのようなことにならないよう、開口部４３を取付延長部２２よりも高い位置に設定しておくのが好ましい。
【００１７】
この実施例では、第２の肩紐通路４２には開口部は設けられていない。しかし、第１の肩紐通路４１に開口部を設けず、第２の肩紐通路４２に開口部を設けることもでき、同じ効果が得られる。
【００１８】
第１の肩紐通路４１と第２の肩紐通路４２の間の傾斜角度は、２５°〜４５°が好ましく、より好ましくは３０°〜４０°、最も好ましくは約３５°である。
【００１９】
このような構成により、バック布の山形突起２１にも拘わらず、肩紐連結具４を介して肩紐の伸びる方向を修正することができる。その結果、肩紐３は肩からずり落ちる方向に移動することはなくなる。
【図面の簡単な説明】
【００２０】
【図１】本発明の肩紐連結具を備えたブラジャーの斜視図である。
【図２】（ａ）は肩紐連結具の取付部分の拡大図、（ｂ）は肩紐連結具の拡大図である。
【図３】本発明の肩紐連結具を備えたブラジャーを着用した女性の後ろ姿である。
【図４】従来の肩紐連結具を備えたブラジャーを着用した女性の後ろ姿である。
【図５】従来の肩紐連結具を山形突起に装着した状態のブラジャーを示す肩紐連結具の取付部分の拡大図である。
【符号の説明】
【００２１】
１     乳房カップ部
２     バック布
２１   山形突起
３     肩紐
４     肩紐連結具
４１   肩紐通路
４２   肩紐通路
４３   開口部
【図１】
2007031911.tif 000003
【図２】
2007031911.tif 000004
【図３】
2007031911.tif 000005
【図４】
2007031911.tif 000006
【図５】
2007031911.tif 000007